(57)【要約】【課題】携帯型通信端末との空間的な配置を考慮して固定網と移動網の切替制御を可能とするヘッドセットおよびヘッドセットを用いた携帯通信システムおよびヘッドセット通話方法を得る。【解決手段】ヘッドセット２０１がアクセスポイント２４３と通信範囲内であるとき、管理サーバ２５３はヘッドセット２０１を用いた固定網２４８経由での通信を行わせる。ヘッドセット２０１とアクセスポイント２４３と通信できないときには、携帯電話機２５４あるいはヘッドセット２０１による移動網２５２を経由した通信が指示される。ヘッドセット２０１は前回通話した電話番号を記憶しており、ダイヤル操作を行うことなく発信が可能である。【選択図】図３
2006166128.tif 000002
【特許請求の範囲】
【請求項１】
固定網に接続されたアクセスポイントと無線通信を行うための第１の無線通信手段と、
特定の携帯型通信端末と無線通信を行うための第２の無線通信手段と、
前記特定の携帯型通信端末が移動網と接続して通信を行っていない状態で前記第１の無線通信手段を使用して、この特定の携帯型通信端末の電話番号を発信元の電話番号として固定網に接続し通信を行う通信制御手段
とを具備することを特徴とするヘッドセット。
【請求項２】
直前に通信を行った相手先の電話番号を記憶する電話番号記憶手段と、
この電話番号記憶手段に記憶された電話番号に発呼する発呼手段と、
着信があったとき通話を開始する通話開始手段と、
相手先との通話を終了させる通話終了手段
とを具備することを特徴とする請求項１記載のヘッドセット。
【請求項３】
固定網と、
この固定網に接続されたアクセスポイントと、
移動網と、
移動網に接続される携帯型通信端末と、
請求項１または２記載のヘッドセットと、
このヘッドセットが前記アクセスポイントと無線通信が可能か否かを判別する無線通信可否判別手段と、
この無線通信可否判別手段が無線通信が可能と判別したとき前記ヘッドセットを用いた前記固定網を用いた相手先への発呼を行わせ、これ以外は前記移動網を用いた相手先への発呼を行わせる網選択手段
とを具備することを特徴とする携帯通信システム。
【請求項４】
前記網選択手段は、前記固定網および移動網に接続され、前記ヘッドセットおよび携帯型通信端末が送信するそれぞれの識別情報の受信の有無を基にしていずれの網を使用して発呼するかを選択する管理サーバであることを特徴とする請求項３記載の携帯通信システム。
【請求項５】
前記ヘッドセットと前記アクセスポイントの間およびヘッドセットと前記携帯型通信端末の間の通信は、ブルーツースにより行われることを特徴とする請求項３記載の携帯通信システム。
【請求項６】
前記ヘッドセットと前記アクセスポイントの間およびヘッドセットと前記携帯型通信端末の間の通信は、無線ＬＡＮにより行われることを特徴とする請求項３記載の携帯通信システム。
【請求項７】
特定の携帯型通信端末と無線通信を行うヘッドセットの通話開始用ボタンが押されたとき、ヘッドセットが無線通信用のアクセスポイントを経由して固定網に接続して通話を行うか前記特定の携帯型通信端末の接続される移動網に接続して通話を行うかを判別する網判別ステップと、
この網判別ステップで判別した網を使用して前記特定の携帯型通信端末の電話番号を発信元としヘッドセットで直前に通話を行った相手先の電話番号を発信先として電話を掛ける発信ステップと、
前記ヘッドセットの通話終了ボタンが押されたとき通話を終了する通話終了ステップ
とを具備することを特徴とするヘッドセット通話方法。
【発明の詳細な説明】
【技術分野】
【０００１】
本発明は、ヘッドフォンとマイクが取り付けられた通話用のヘッドセットと、このヘッドセットを用いた携帯通信システムおよびヘッドセット通話方法に係わり、特に携帯型通信端末を用いてハンズフリーで通話を行うために好適なヘッドセットおよびヘッドセットを用いた携帯通信システムおよびヘッドセット通話方法に関する。
【背景技術】
【０００２】
携帯電話機やＰＨＳ（Personal Handy-phone System）等の携帯型通信端末は、これらに内蔵されたスピーカとマイクを使用して通話を行うとき、通信端末の本体を通話者の頭部近傍に手で保持する必要がある。このために、通話中は片手がふさがってしまう。そこで、最近ではヘッドセットを通話者の頭部に装着して、このヘッドセットから引き出されたケーブルを携帯型通信端末に接続することで、ハンズフリーで通話を行う工夫も行われている。
【０００３】
更に、ブルーツース（Bluetooth）と呼ばれる技術が近年登場しており、比較的小型の情報処理装置や携帯型通信端末が無線によって１Ｍｂｐｓ（メガビット／秒）の高速で音声やデータを通信できるようになっている。ブルーツースは、赤外線通信と比較すると、消費電力が少ないだけでなく、機器間の距離が１０メートル程度以内では、障害物によって遮られることなく通信が可能である。
【０００４】
ブルーツース専用のチップセットの開発が積極的に行われており、これに伴って、ブルーツースを使用した携帯型通信端末が各種登場している。これにより、同じくブルーツース用のチップセットを内蔵したハンドセットとの間で無線通信が行えるようになっている。この結果、両手を自由に使いながら通話が行えるだけでなく、携帯型通信端末との間にケーブルを接続する必要がないので行動の自由を阻害されることがない。すなわち、電話が掛かってきたときだけ、携帯型通信端末を取り上げて必要な操作を行い、通話中は机の上等に置いておくことができることで、携帯型通信端末を用いた日常生活や仕事がますます便利になってきている。このようなブルーツース技術による利点が認識されると共に、ブルーツース技術を使用した通信機器の研究が盛んになっている。
【０００５】
図１４は、一例として、携帯型通信端末をオーディオ・ゲートウェイとして動作させる場合の一例を示したものである。携帯型通信端末１０１は、ブルーツース用のチップセット１０２を内蔵しており、同じくヘッドセット１０３もブルーツース用のチップセット１０４を内蔵している。携帯型通信端末１０１は、Ｗ−ＣＤＭＡやＧＳＭ等の移動網１０５と接続されており、必要な音楽データを図示しない音楽配信サーバから受信する。そして、ヘッドセット１０３をブルーツース１０６によって携帯型通信端末１０１と音声接続し、ヘッドセット１０３側の音楽の再生あるいは停止の指示に応じて、携帯型通信端末１０１側に蓄積された音楽データがヘッドセット１０３に送信されるようになっている。
【０００６】
この他に、携帯型通信端末１０１を自動車のスピーカ等からなるオーディオ機器と連結してハンズフリー（Hands-Free）による音声応答を実現したり、携帯型通信端末１０１とパーソナルコンピュータあるいはＰＤＡ（Personal Digital Assistant）等の通信機器との間でファイルを転送したり、同期を図るためにブルーツースを用いることも研究されている。
【０００７】
ところで、このような従来技術では、携帯型通信端末１０１が移動網１０５とのみ接続されるようになっている。携帯型通信端末の通信事業者は移動網１０５についてのネットワークの構築や携帯通信システムの安定性を維持するために膨大な投資を行っている。固定網の電話料金と比較すると、移動電話の電話料金ははるかに高い事情がそこにある。
【０００８】
そこで、携帯型通信端末の電話料金の低価格化の努力も行われている。携帯型通信端末は、本来は、既存のシステムよりも広い周波数帯域を使用するＷ−ＣＤＭＡ（Wideband Code Division Multiple Access）や欧州で提案された世界的な統一携帯電話システムとしてのＧＳＭ（Global System for Mobile）方式に代表されるように、移動通信網のみを使用して通信が行われるものである。これに対して、移動網１０５のみでなく固定網も選択可能にした携帯通信システムの提案も行われている（たとえば特許文献１参照）。
【０００９】
この提案で、携帯型通信端末は、移動網の無線基地局との間で通信を行うための無線チャネル制御回路と、固定網の端局との間で通信を行うための有線制御回路と、これら２つの制御回路の一方を選択するチャネル切替回路と、自端末の充電容量を監視する充電容量監視手段を備えている。携帯型通信端末の充電容量が低下して無線通信が不能になると、チャネル切替回路を無線側から有線側に切り替えると、有線通信により通信が引続き可能となるようになっている。
【００１０】
このように、固定網を部分的に活用することでその通信部分の通信経費を低減することができる。たとえば、前記したブルーツース用のチップセットを組み込んだ携帯型通信端末を使用して、室内に設置したアクセスポイント（Access Point）を経由することで固定網に接続するようにすれば、割高な移動網のみで通話を行う場合に比べて、通信経費を低減することが可能になる。ワイヤレスＬＡＮ（ローカルエリアネットワーク）を使用して、携帯型通信端末を固定網に接続するのも同様に有効である。
【００１１】
これにより、携帯型通信端末の加入者は通信経費を低減しつつ高品質なサービスを受けることができるというメリットを得ることができる。通信事業者の方では、これとは逆に固定網料金の分だけ通信経費による収入が減少する。しかしながら、低料金化という魅力によって加入者をより多く囲い込むことができるというメリットが発生する。
【特許文献１】特開平０７−１４３５５３号公報（第００１３段落、図１）
【発明の開示】
【発明が解決しようとする課題】
【００１２】
ところが、携帯型通信端末のユーザがハンズフリーの要請からヘッドセットを装着してオフィス等を移動するとき、携帯型通信端末がこのユーザの近くにある場合もあるが無線通信の範囲外に取り残される場合もある。従来の提案では、携帯型通信端末のみについて固定網と移動網の関係を考察しているだけであり、ヘッドセットを加えた考察が行われていない。このため、ヘッドセットを加えた携帯通信システムで固定網を活用しようとすると、移動網と固定網の間の切り替えがうまく作動できない場合が生じるという問題がある。
【００１３】
そこで本発明の目的は、携帯型通信端末との空間的な配置を考慮して固定網と移動網の切替制御を可能とするヘッドセットおよびヘッドセットを用いた携帯通信システムおよびヘッドセット通話方法を提供することにある。
【課題を解決するための手段】
【００１４】
請求項１記載の発明では、（イ）固定網に接続されたアクセスポイントと無線通信を行うための第１の無線通信手段と、（ロ）特定の携帯型通信端末と無線通信を行うための第２の無線通信手段と、（ハ）前記した特定の携帯型通信端末が移動網と接続して通信を行っていない状態で第１の無線通信手段を使用して、この特定の携帯型通信端末の電話番号を発信元の電話番号として固定網に接続し通信を行う通信制御手段とをヘッドセットに具備させる。
【００１５】
すなわち請求項１記載の発明では、ヘッドセットに固定網に接続されたアクセスポイントと無線通信を行う第１の通信手段と、特定の携帯型通信端末と無線通信を行うための第２の無線通信手段を備えさせ、前記した特定の携帯型通信端末が移動網と接続して通信を行っていない状態で第１の無線通信手段を使用して、この特定の携帯型通信端末の電話番号を発信元の電話番号として固定網に接続し通信を可能とさせる。すなわち、ヘッドセットを仲介としてアクセスポイント経由で固定網に接続できるようにし、この接続ができないときに特定の携帯型通信端末を用いて、あるいは特定の携帯型通信端末と第２の無線通信手段を介して移動網に接続するようにしている。
【００１６】
請求項３記載の発明では、（イ）固定網と、（ロ）この固定網に接続されたアクセスポイントと、（ハ）移動網と、（ニ）移動網に接続される携帯型通信端末と、（ホ）請求項１または２記載のヘッドセットと、（へ）このヘッドセットがアクセスポイントと無線通信が可能か否かを判別する無線通信可否判別手段と、（ト）この無線通信可否判別手段が無線通信が可能と判別したときヘッドセットを用いた固定網を用いた相手先への発呼を行わせ、これ以外は移動網を用いた相手先への発呼を行わせる網選択手段とを携帯通信システムに具備させる。
【００１７】
すなわち請求項３記載の発明では、ヘッドセットがアクセスポイントと無線通信が可能か否かを無線通信可否判別手段で判別し、可能なときには移動網を使用せずに固定網を使用してヘッドセットによる通信を行えるようにしている。
【００１８】
請求項７記載の発明では、（イ）特定の携帯型通信端末と無線通信を行うヘッドセットの通話開始用ボタンが押されたとき、ヘッドセットが無線通信用のアクセスポイントを経由して固定網に接続して通話を行うか前記した特定の携帯型通信端末の接続される移動網に接続して通話を行うかを判別する網判別ステップと、（ロ）この網判別ステップで判別した網を使用して前記した特定の携帯型通信端末の電話番号を発信元としヘッドセットで直前に通話を行った相手先の電話番号を発信先として電話を掛ける発信ステップと、（ハ）ヘッドセットの通話終了ボタンが押されたとき通話を終了する通話終了ステップとをヘッドセット通話方法に具備させる。
【００１９】
すなわち請求項３記載の発明では、ヘッドセットの通話開始用ボタンが押されたとき、このヘッドセットが無線通信用のアクセスポイントを経由して固定網に接続できるか否かを判別して、接続できる場合には特定の携帯型通信端末の電話番号を発信元としヘッドセットで直前に通話を行った相手先の電話番号を発信先としてヘッドセットから直接電話を掛けることができるようにしている。
【発明の効果】
【００２０】
以上説明したように本発明によれば、ヘッドセットが固定網に接続されたアクセスポイントと無線通信を行うことができるので、そのアクセスポイントが無線の届く範囲内に存在すれば、特定の携帯型通信端末の電話番号を使用して固定網を利用して相手先に電話を掛けることができ、固定網を用いた経済的な通信や音質の良い通信を確保することができる。
【発明を実施するための最良の形態】
【００２１】
以下実施例につき本発明を詳細に説明する。
【実施例１】
【００２２】
図１は、本発明の一実施例における携帯通信システムで使用されるヘッドセットの概要を表わしたものである。このヘッドセット２０１は、頭の両側部からラッパ状に突出した形の図示しない耳介（外耳）の上部の内側に接する弓形をした弓形状部２０２を備えている。この弓形状部２０２の一端には、図示しない軸を中心に回動自在に一端を保持し、他端にマイクロフォン２０３を取り付けたマイクロフォン取り付けアーム２０４が取り付けられている。また、弓形状部２０２の上端部と、耳介を覆うような円盤形状をしたヘッドセット本体２０５の上端部は、図示しないヒンジ機構によって、開閉自在に取り付けられている。弓形状部２０２とヘッドセット本体２０５は、図示しないスプリングによって耳介を挟むように閉じ合わされることで、頭部に固定される。
【００２３】
ヘッドセット本体２０５には、そのほぼ中央部にスピーカ２０６が配置されている。また、ヘッドセット本体２０５の内部には、ブルーツースで通信を行うために必要な通信回路をモジュール化したブルーツースモジュール２０７や図示しない電源およびその他の回路が配置されている。また、弓形状部２０２のマイクロフォン取り付けアーム２０４が取り付けられた側の端部近傍には、通話の開始および終話を指示するための通話・終話ボタン２０８が取り付けられている。更に、弓形状部２０２の通話・終話ボタン２０８が取り付けられた側と反対側の端部近傍には、発信ダイヤルボタン２０９が取り付けられている。
【００２４】
図２は、ヘッドセットの回路部分の概要を表わしたものである。ヘッドセット２０１は、ＣＰＵ（中央処理装置）２２１を備えている。ＣＰＵ２２１は、データバス等のバス２２２を通じて装置内の各部と接続されている。このうち、ＲＯＭ２２３は、ヘッドセット２０１の各部を制御する制御プログラムを格納したリード・オンリ・メモリである。ＲＡＭ２２４は、各種制御の際に使用するデータを一時的に格納する作業用メモリとしての役割を持ったランダム・アクセス・メモリである。ＲＡＭ２２４には、前回通話を行った相手先の電話番号を記憶する電話番号記憶領域２２４Ａが設けられており、このメモリ領域は不揮発性メモリが使用されている。ブルーツースモジュール２０７にはアンテナ２２５が付属している。音声増幅回路２２６は、音声データを音声に変換すると共に増幅する回路である。音声増幅回路２２６の出力側にはスピーカ２０６が接続されている。入力回路２２７には、通話・終話ボタン２０８および発信ダイヤルボタン２０９が接続されており、これらの入力操作の結果がバス２２２に送出されるようになっている。
【００２５】
このような本実施例のヘッドセット２０１は、送信電力が約１ｍＷ（ミリワット）であり、通信距離は約１０ｍとなっている。ただし、ブルーツースモジュール２０７の送信電力は最大で１００ｍＷまで増大させることができる。これにより、通信できる距離を約１００ｍまで拡大することができる。
【００２６】
図３は、本実施例の携帯通信システムでユーザが室内に居る場合を表わしたものである。一点鎖線２４１で囲んだ領域内部は室内２４２である。室内２４２には、無線用のアクセスポイント（ＡＰ）２４３と固定電話機２４４を接続したアクセスゲートウェイ（ＧＷ）２４５が設置されている。室外２４６には、アクセスゲートウェイ２４５と電話回線２４７によって接続された固定網２４８と、無線基地局としてのノード（Node）２４９と通信ケーブル２５１で接続された移動網２５２が存在している。固定網２４８と移動網２５２の双方に接続する形で、システムを管理する管理サーバ２５３が接続されている。移動網２５２は、ＧＳＭのような２Ｇ（The 2nd Generation）システムであってもよいし、Ｗ−ＣＤＭＡのような３Ｇシステムであってもよい。
【００２７】
この図３に示した例では、図示しないユーザが室内２４２に居て、その携帯型通信端末としての携帯電話機２５４を図示しない机の上等に置いている。ユーザは、図１に示したヘッドセット２０１を頭部に装着している。この状態で、携帯電話機２５４はノード２４９と無線通信２５６を行っている。また、ヘッドセット２０１は、この携帯電話機２５４およびアクセスポイント２４３とブルーツース２５５、２５６で通信している。アクセスポイント２４３はアクセスゲートウェイ２４５との間で所定の無線通信２５７を行っている。
【００２８】
このような携帯通信システムで、固定電話機２４４の電話番号は、携帯電話機２５４の電話番号と異なっている。この図３に示すように携帯電話機２５４が室内にあるが、ヘッドセット２０１は経路２５８で示すように固定網２４８を経由して通話が可能であり、ヘッドセット２０１の電話番号は携帯電話機２５４の電話番号と同一である。なお、ユーザは、ヘッドセット２０１を使用せずに携帯電話機２５４を用いて電話を掛けることができることは当然である。
【００２９】
本実施例でヘッドセット２０１は、その識別番号を周期的に送信を行っている。ユーザが室内２４２に移動してきてアクセスポイント２４３がこの識別番号を検出すると、アクセスポイント２４３はヘッドセット２０１が接続されたことを図示の経路２５８で固定網２４８を経由する形で管理サーバ２５３に通知するようになっている。これにより、管理サーバ２５３は、ヘッドセット２０１がアクセスポイント２４３と接続されているか否かというヘッドセット位置情報を把握することができる。これに対して、携帯電話機２５４自体の位置情報としての携帯電話機位置情報は、図示の経路２５９で移動網２５２を経由する形で管理サーバ２５３に通知される。
【００３０】
図４は、図３と異なりユーザが室外に出ている場合の携帯通信システムでの通信経路を表わしたものである。ユーザはヘッドセット２０１を装着したまま室外２４６に出ているとすると、この状態でアクセスポイント２４３はヘッドセット２０１の出力する識別番号を検出することができない。したがって、管理サーバ２５３は経路２５９で移動網２５２を経由する形で携帯電話機２５４に関する携帯電話機位置情報を把握することができるものの、アクセスポイント２４３がヘッドセット２０１を検知することができないので、ヘッドセット２０１に関するヘッドセット位置情報を把握することができない。これにより、管理サーバ２５３は図４に示す状態で、ユーザが通話できるのは携帯電話機２５４のみであることを把握することができる。
【００３１】
図５は、ヘッドセットによるヘッドセット位置情報の送信処理の流れを表わしたものである。ヘッドセット２０１は時間ｔ1が経過すると（ステップＳ３０１：Ｙ）、自己の識別番号を送信し（ステップＳ３０２）、これに対するアクセスポイント２４３からの応答の受信を待機する（ステップＳ３０３）。これから時間ｔ2を経過しても応答が受信されなければ（ステップＳ３０３：Ｎ、Ｓ３０４：Ｙ）、ステップＳ３０１に戻って（リターン）、再び識別番号の送信処理を間欠的に繰り返すことになる。
【００３２】
時間ｔ2以内に応答が受信された場合には（ステップＳ３０４：Ｎ、ステップＳ３０３：Ｙ）、ヘッドセット位置情報をアクセスポイント２４３および固定網２４８を経由する形で管理サーバ２５３に送信する（ステップＳ３０５）。すなわち、ヘッドセット２０１がアクセスポイント２４３の備えられた室内２４２に存在する場合には、管理サーバ２５３がヘッドセット位置情報の受信によってこれを認識する。ヘッドセット２０１が室外２４６にある場合、管理サーバ２５３はヘッドセット位置情報を受信しないので、アクセスポイント２４３で受信する範囲に存在しないことを認識することができる。
【００３３】
図６は、アクセスポイントによる識別番号やヘッドセット位置情報の受信の際の処理を表わしたものである。アクセスポイント２４３は識別番号を受信すると（ステップＳ３２１：Ｙ）、そのヘッドセット２０１に対して識別番号受信に対する応答を送信する（ステップＳ３２２）。ヘッドセット位置情報を受信した場合には（ステップＳ３２３：Ｙ）、このヘッドセット位置情報をアクセスゲートウェイ２４３を介して管理サーバ２５３に送信することになる（ステップＳ３２４）。
【００３４】
図７は、ヘッドセットによる発着信処理を表わしたものである。図１およびと共に説明を行う。ヘッドセット２０１は、図１に示した発信ダイヤルボタン２０９と通話・終話ボタン２０８のいずれかが押されるのを待機している（ステップＳ３４１、Ｓ３４２）。発信ダイヤルボタン２０９が押された場合には（ステップＳ３４１：Ｙ）、図２に示した電話番号記憶領域２２４Ａから電話番号の読み出しを行う（ステップＳ３４３）。この結果として、電話番号が電話番号記憶領域２２４Ａに格納されていなかった場合には（ステップＳ３４４：Ｙ）、スピーカ２０６からエラー音を出力して（ステップＳ３４５）、処理を終了する（エンド）。エラー音の代わりに、「電話番号が登録されていません。」といった音声メッセージが出力されてもよい。この場合、ユーザは携帯電話機２５４を使用して通常の発信操作を行うことになる。もっとも、電話番号が電話番号記憶領域２２４Ａに格納されていないのは、ヘッドセット２０１を初めて使用するときか、図示しないリセットボタンを押してＲＡＭ２２４の内容をクリアしたときなので、その状態で発信ダイヤルボタン２０９を押す操作は通常想定されない。
【００３５】
ステップＳ３４４で電話番号が電話番号記憶領域２２４Ａに格納されていたとされた場合（Ｎ）、図２に示したＣＰＵ２２１は管理サーバ２５３から固定網通信の指示が出ているかどうかをチェックする（ステップＳ３４６）。そして、固定網通信の指示が出ている場合には（Ｙ）、アクセスポイント２４３からアクセスゲートウェイ２４５を経由して、固定網２４８に至り、これを経由する形で相手先に発信する（ステップＳ３４７）。このように固定網２４８を利用した経済的な通信が可能になる。
【００３６】
図８は、管理サーバによる固定網通信の指示等の通信経路の指示処理の様子を表わしたものである。管理サーバ２５３は、図示しないがＣＰＵと所定の制御プログラムを格納した記憶媒体および固定網２４８ならびに移動網２５２と通信を行う通信手段等を備えており、パーソナルコンピュータと同様の構成となっている。この管理サーバ２５３は、図１に示したヘッドセット２０１から間欠的に送出されるヘッドセット位置情報と、携帯電話機２５４から同じく間欠的に送出される携帯電話機位置情報の受信を待機する（ステップＳ３６１、Ｓ３６２）他に、通信経路の指示処理の指定時間が到来したか（ステップＳ３６３）の監視を行っている。
【００３７】
そして、ヘッドセット位置情報を受信すると（ステップＳ３６１：Ｙ）、このヘッドセット位置情報を受信時刻と共に、対応する携帯電話機２５４の電話番号に対して用意された受信バッファ領域に格納する（ステップＳ３６４）。ここで電話番号ごとに用意された受信バッファ領域は、最新の時刻に関するデータから複数のデータを書き込むために用意されたメモリ領域であり、最新のデータは最も古いデータを上書きするようになっている。
【００３８】
携帯電話機位置情報が受信された場合には（ステップＳ３６２：Ｙ）、この携帯電話機位置情報を受信時刻と共に、対応する携帯電話機２５４の電話番号に対して用意された受信バッファ領域に格納する（ステップＳ３６５）。このようにして電話番号ごとに用意された受信バッファ領域に、ヘッドセット位置情報と携帯電話機位置情報がたとえば最新のものから４〜５通り常に格納されることになる。
【００３９】
管理サーバ２５３は、これらの処理と平行して、通信経路の指示のための指定時間が所定の時間間隔で到来するたびに（ステップＳ３６３：Ｙ）、該当する電話番号に対する時間ｔ3以内の位置情報を対応する受信バッファ領域から取得する（ステップＳ３６６）。ここで時間ｔ3は、たとえば時間ｔ1に時間ｔ2を加えた長さの時間であるが、携帯通信システムによってこれ以外の時間に設定することも自由である。
【００４０】
このようにして対応する受信バッファ領域の内容を取得したら、前記したＣＰＵはこれにヘッドセット位置情報と携帯電話機位置情報の双方が含まれているかどうかをチェックする（ステップＳ３６７）。両者が含まれている場合には（Ｙ）、その時点に比較的近い時間にヘッドセット２０１からヘッドセット位置情報が管理サーバ２５３に送られてきたことになる。これは、ヘッドセット２０１による経路２５８（図３）による通信が可能なことを意味する。そこで、管理サーバ２５３は経済性の観点から固定網２４８による通信指示を、経路２５８を通じてヘッドセット２０１に送信することになる（ステップＳ３６８）。
【００４１】
これに対して受信バッファ領域における時間ｔ3以内の位置情報が携帯電話機位置情報のみで構成されていた場合（ステップＳ３６７：Ｎ、Ｓ３６９：Ｙ）、ＣＰＵはヘッドセット２０１による経路２５８（図３）による通信ができないことを判別し、経路２５９（図３）を用いた移動網２５２による通信指示を、携帯電話機２５４を経由してヘッドセット２０１に送信することになる（ステップＳ３７０）。ヘッドセット２０１側では、これら固定網２４８による通信指示あるいは移動網２５２による通信指示を受信して上書きしていくことで、図７のステップＳ３４６の判別に備えることになる。
【００４２】
図７に戻って説明を続ける。ステップＳ３４６で固定網２４８への接続指示が出ていない場合には（Ｎ）、移動網２５２を使用して相手先に発信を行うことになる（ステップＳ３４８）。
【００４３】
一方、ユーザが通話・終話ボタン２０８を押した場合には（ステップＳ３４２：Ｙ）、通話中であるかどうかの判別が行われ（ステップＳ３４９）、通話中であれば（Ｙ）、呼の切断が行われる（ステップＳ３５０）。これに対して、通話中でなく電話が掛かってきた場合には（ステップＳ３４９：Ｎ）、呼の接続が行われる（ステップＳ３５１）。そして、電話番号記憶領域２２４Ａに相手先の電話番号が上書きされることになる（ステップＳ３５２）。この上書きされた電話番号が、次の発信の際に使用されることになる（ステップＳ３４１：Ｙ、Ｓ３４３）。
【００４４】
図９〜図１２を使用して各状況における通信の様子を説明する。まず、図９に示した通信環境では、ヘッドセット２０１がアクセスポイント２４３および携帯電話機２５４との通信範囲内であることと、携帯電話機２５４も移動網２５２の通信範囲内であることを管理サーバ２５３は判別している。したがって、発着信時にヘッドセット２０１を使用して固定網２４８を経由して、たとえば他の固定電話機２６１と通話が可能であると共に、移動網２５２を使用して携帯電話機２５４による通話も可能である。更に、携帯電話機２５４を使用するときには、ブルーツースを用いてヘッドセット２０１による通話も可能である。このような状況で、管理サーバ２５３は、ユーザの通信料の負担を軽減させると共に固定網２４８の資源を活用する観点から、固定網２４８を経由する通話を指示することになる（図８ステップＳ３６８）。ヘッドセット２０１を用いて通話を行うとき、その電話番号は携帯電話機２５４の電話番号と同一である。このため、ヘッドセット２０１で通話を行うとき携帯電話機２５４を使用することができない。これは、図１０以降の通信環境での使用の場合も同様である。
【００４５】
次に、図１０に示した通信環境での通信を説明する。この通信環境では、ヘッドセット２０１がアクセスポイント２４３との通信範囲内であるものの、携帯電話機２５４は室外２４６に存在しており、ヘッドセット２０１とブルーツースによる通信を行うことができない。ただし、携帯電話機２５４は移動網２５２の通信範囲内である。以上の判別結果から、発着信時にユーザは固定網２４８を使用してヘッドセット２０１で通話を行うことができるし、移動網２５２を使用して携帯電話機２５４で通話を行うこともできる。しかしながら、ユーザは携帯電話機２５４を使用するときヘッドセット２０１を使用できない。このような状況で、管理サーバ２５３は、ユーザの通信料を軽減することができ、かつ固定網２４８の資源を活用できるという観点から固定網２４８を経由するヘッドセットによる通話を指示することになる（図８ステップＳ３６８）。
【００４６】
次に、図１１に示した通信環境での通信を説明する。室内２４２の通信環境でヘッドセット２０１は携帯電話機２５４とブルーツースによる通信を行うことができるものの、アクセスポイント２４３との通信範囲外に位置している。携帯電話機２５４は移動網２５２の通信範囲内である。以上の判別結果から、管理サーバ２５３は、携帯電話機２５４を試用した移動網２５２を経由する通話を指示することになる（図８ステップＳ３６８）。もちろん、携帯電話機２５４を使用するときにヘッドセット２０１をその代わりとして使用することができる。
【００４７】
最後に、図１２に示した通信環境での通信を説明する。この通信環境では、ヘッドセット２０１が室外２４６に存在して、アクセスポイント２４３との通信範囲外となっている。携帯電話機２５４は同じく室外２４６に存在しており、ブルーツースによってヘッドセット２０１と通信ができると共に、ノード２４９を介して移動網２５２と通信が可能である。この状況で、発着信時にユーザは携帯電話機２５４を使用して移動網２５２を経由して、たとえば固定電話機２６１と通話が可能である。もちろん、携帯電話機２５４を使用するときにヘッドセット２０１をその代わりとして使用することができる。
【００４８】
＜発明の変形例＞
【００４９】
図１３は、本発明の変形例における携帯通信システムの構成を示したものである。この図１３で図１０と同一部分には同一の符号を付しており、これらの説明を適宜省略する。この変形例でヘッドセット２０１Ａは、先の実施例のヘッドセット２０１がブルーツースを使用していたのに対してワイヤレスＬＡＮ（ローカルエリアネットワーク）による無線通信を利用している。したがって、アクセスポイント２４３Ａは、ワイヤレスＬＡＮに対応している。携帯電話機２５４Ａについても、同様にワイヤレスＬＡＮに対応している。
【００５０】
更に、アクセスゲートウェイ２４５と固定網２４８の間には、ＤＳＬＡＭ（Digital Subscriber Line Access Multiplexer）２７１が配置されている。このように固定網２４８は、通常の回線交換システムに限定されるものではなく、ｘＤＳＬ（x Digital Subscriber Line）システムであってもよい。ｘＤＳＬシステムの場合には、図１３で示したように複数のｘＤＳＬ回線を束ねて、図示しないルータ等の通信機器と接続し、高速で大容量の基幹回線（バックボーン）との橋渡しを行う集線装置としてのＤＳＬＡＭ２７１を設ける必要がある。
【００５１】
なお、実施例では管理サーバ２５３が固定網２４８と移動網２５２のいずれを使用して発呼するかの制御を行ったが、ヘッドセット２０１がアクセスポイント２４３と無線通信可能であることを判別の条件として固定網２４８を使用して発呼するような制御を行ってもよい。この場合には、管理サーバ２５３を省略することができる。
【００５２】
また、実施例ではヘッドセット２０１から口の近傍に伸びるマイクロフォン取り付けアーム２０４の先端近傍に取り付けたマイクロフォン２０３から音声を入力することにしたが、骨伝導用のマイクロフォンを使用して音を採取するようにしてもよい。また、ヘッドセット２０１は各種の構造のものがあり、これらのいずれのものも本発明で適用可能であることはもちろんである。両耳に取り付けるヘッドフォンタイプのものも本発明で使用できることも当然である。
【図面の簡単な説明】
【００５３】
【図１】本発明の一実施例におけるヘッドセットの概要を表わした正面図である。
【図２】本実施例のヘッドセットの回路部分の概要を表わしたブロック図である。
【図３】本実施例のヘッドセットを使用した携帯通信システムでユーザが室内に居る場合の通信経路を表わした説明図である。
【図４】本実施例でユーザが室外に出ている場合の携帯通信システムでの通信経路を表わした説明図である。
【図５】本実施例でヘッドセットによるヘッドセット位置情報の送信処理の流れを表わした流れ図である。
【図６】本実施例でアクセスポイントによる識別番号やヘッドセット位置情報の受信の際の処理を表わした流れ図である。
【図７】本実施例でヘッドセットによる発着信処理を表わした流れ図である。
【図８】本実施例で管理サーバによる固定網通信の指示等の通信経路の指示処理の様子を表わした流れ図である。
【図９】本実施例での通信環境の一例を示したシステム構成図である。
【図１０】本実施例での通信環境の他の例を示したシステム構成図である。
【図１１】本実施例での通信環境の更に他の例を示したシステム構成図である。
【図１２】本実施例での通信環境の更に他の例を示したシステム構成図である。
【図１３】本発明の変形例における携帯通信システムの構成を示したシステム構成図である。
【図１４】携帯型通信端末をオーディオ・ゲートウェイとして動作させる場合の従来例を示したシステム構成図である。
【符号の説明】
【００５４】
２０１  ヘッドセット
２０７  ブルーツースモジュール
２０８  通話・終話ボタン
２０９  発信ダイヤルボタン
２２１  ＣＰＵ
２２３  ＲＯＭ
２２４  ＲＡＭ
２２４Ａ  電話番号記憶領域
２４３  アクセスポイント
２４８  固定網
２５２  移動網
２５３  管理サーバ
２５４  携帯電話機
【図１】
2006166128.tif 000003
【図２】
2006166128.tif 000004
【図３】
2006166128.tif 000005
【図４】
2006166128.tif 000006
【図５】
2006166128.tif 000007
【図６】
2006166128.tif 000008
【図７】
2006166128.tif 000009
【図８】
2006166128.tif 000010
【図９】
2006166128.tif 000011
【図１０】
2006166128.tif 000012
【図１１】
2006166128.tif 000013
【図１２】
2006166128.tif 000014
【図１３】
2006166128.tif 000015
【図１４】
2006166128.tif 000016